(57)【要約】【課題】ワークトップの上面を手間がかかることなく容易に清掃することができる流し台用給水栓、及びその給水栓を備えた流し台を提供する。【解決手段】流し台１１のシンク１３と反対側においてワークトップ１２の一端縁には、放水パイプ１８をワークトップ１２の上面に沿って延びるように配設する。その放水パイプ１８には、ワークトップ１２の上面に向かって洗浄水を放出するための複数の放水孔２０を設ける。この放水パイプ１８の放水孔２０から放出される洗浄水によりワークトップ１２の上面を洗浄して、その洗浄水がシンク１３内に流れ落ちるようにする。【選択図】      図１
2004218368.tif 000002
【特許請求の範囲】
【請求項１】
流し台のワークトップの上面に沿って放水パイプを配設し、その放水パイプにはワークトップの上面に向かって洗浄水を放出するための放水孔を設けたことを特徴とする流し台用給水栓。
【請求項２】
請求項１に記載の給水栓を設けたことを特徴とする流し台。
【請求項３】
前記放水パイプがシンクと反対側においてワークトップの端縁に配設され、放水孔からワークトップの上面に放出される洗浄水がシンク内に流れ落ちるようになっていることを特徴とする請求項２に記載の流し台。
【発明の詳細な説明】
【０００１】
【発明の属する技術分野】
この発明は、流し台用給水栓及びその給水栓を備えた流し台に関するものである。
【０００２】
【従来の技術】
一般に、システムキッチンにおける流し台には、調理の下ごしらえ等の作業を行うためのワークトップと、食材や食器の洗浄等を行うためのシンクとが隣合わせで設けられている。そして、この種の流し台において、シンクについては水栓が付設されているため、その水栓からの放水により、シンク内面の汚れを容易に清掃することができる。
【０００３】
【発明が解決しようとする課題】
ところが、この流し台のワークトップについては、調理の下ごしらえ等に伴って汚れが付きやすいにも拘らず、清掃手段が施されていないため、そのワークトップの上面を清掃するのが面倒で手間がかかるという問題があった。
【０００４】
この発明は、このような従来の技術に存在する問題点に着目してなされたものである。その目的は、ワークトップの上面を手間がかかることなく容易に清掃することができる流し台用給水栓、及びその給水栓を備えた流し台を提供することにある。
【０００５】
【課題を解決するための手段】
上記の目的を達成するために、請求項１に記載の流し台用給水栓に係る発明は、流し台のワークトップの上面に沿って放水パイプを配設し、その放水パイプにはワークトップの上面に向かって洗浄水を放出するための放水孔を設けたことを特徴とするものである。
【０００６】
従って、この請求項１に記載の発明によれば、放水パイプの放水孔から放出される洗浄水により、ワークトップの上面が洗浄される。よって、ワークトップの上面を手間がかかることなく容易に清掃することができる。よって、ワークトップの上面を常に清潔に維持することができる。
【０００７】
請求項２に記載の流し台に係る発明は、請求項１に記載の給水栓を設けたことを特徴とするものである。
従って、この請求項２に記載の発明によれば、前記請求項１に記載の作用と同様の作用を得ることができる。
【０００８】
請求項３に記載の発明は、請求項２に記載の発明において、前記放水パイプがシンクと反対側においてワークトップの端縁に配設され、放水孔からワークトップの上面に放出される洗浄水がシンク内に流れ落ちるようになっていることを特徴とするものである。
【０００９】
従って、この請求項３に記載の発明によれば、放水孔から放出される洗浄水がワークトップの上面に溜まったり、ワークトップの上面前縁から滴り落ちたりするおそれを防止することができ、水切りが適切に行われる。
【００１０】
【発明の実施の形態】
（第１実施形態）
以下に、この発明の第１実施形態を、図１〜図３に基づいて説明する。
【００１１】
図１に示すように、流し台１１には、ワークトップ１２とシンク１３とが左右に隣接して設けられている。ワークトップ１２のシンク１３側を除く３方の上面周縁には周壁として機能する突条１２ａが形成されている。また、ワークトップ１２の上面は、シンク１３側に向かって緩やかに下降傾斜して、ワークトップ１２の上面の水がシンク１３内に流れ落ちるようになっている。そして、このワークトップ１２の上面において、調理の下ごしらえ等の作業が行われるようになっている。シンク１３の上部位置には図示しない水栓が設けられ、この水栓からの放水により、食材や食器の洗浄等を行うようになっている。
【００１２】
図１〜図３に示すように、前記シンク１３と反対側におけるワークトップ１２の左端後部には、取付パイプ１４がパッキン１５を介してナット１６により立設固定され、その上部には取付部１４ａが突出形成されている。取付パイプ１４の取付部１４ａには支持パイプ１７が回動可能に取り付けられ、その外周面には支持部１７ａが突出形成されている。
【００１３】
前記支持パイプ１７の支持部１７ａには、放水パイプ１８が基端の嵌合部１９において図２の左右方向に延びる自身の水平な軸線を中心に回動可能に取り付けられ、その嵌合部１９の上面には操作つまみ１９ａが突設されている。放水パイプ１８の周面には、ワークトップ１２の上面に向かって洗浄水を放出するための複数の放水孔２０が長手方向に所定間隔おきに形成されている。
【００１４】
そして、前記放水パイプ１８を把持して、支持パイプ１７を取付パイプ１４の取付部１４ａを中心に回動させることにより、放水パイプ１８が水平回動されて、図１に実線で示す使用位置Ｐ１と、同図に鎖線で示す不使用位置Ｐ２とに変移される。そして、使用位置Ｐ１においては、放水パイプ１８がワークトップ１２の図示左端縁に沿って前方に延長配置され、不使用位置Ｐ２においては、放水パイプ１８がワークトップ１２の後端縁に沿って右方に延長配置されるようになっている。
【００１５】
さらに、放水パイプ１８が使用位置Ｐ１に配置された状態で、図３に示すように、操作つまみ１９ａにより放水パイプ１８を支持パイプ１７の支持部１７ａを中心に水平軸線の周りで回動させることにより、複数の放水孔２０の開口方向（上下方向の向き）が変更される。これにより、放水孔２０から放出される洗浄水の方向が変更されて、洗浄水の飛翔距離が調節されるようになっている。
【００１６】
図１及び図２に示すように、前記取付パイプ１４の下端には供給管２１が接続され、その供給管２１には混合水栓２２を介して、給水管２３からの水、給湯管２４からの湯、またはそれらの混合水が供給されるようになっている。この混合水栓２２はワークトップ１２の後部に配設され、その前面には操作ハンドル２２ａが設けられている。そして、この操作ハンドル２２ａを左右方向に回動操作することにより、混合水の温度調節が行われるとともに、操作ハンドル２２ａを上下方向に回動操作することにより、混合水の開閉及び流量の調節が行われるようになっている。
【００１７】
次に、前記のように構成された給水栓及び流し台の機能を説明する。
さて、この流し台１１において、ワークトップ１２の上面で調理の下ごしらえ等の作業を行う場合には、図１に鎖線で示すように、放水パイプ１８を不使用位置Ｐ２に回動させて、ワークトップ１２の後端縁に沿って延長配置する。これにより、放水パイプ１８が邪魔になることなく、ワークトップ１２の上面全体を使用して、調理の下ごしらえ等を普通に行うことができる。
【００１８】
このように、調理の下ごしらえ等を行った後、ワークトップ１２の上面を清掃する場合には、図１に実線で示すように、放水パイプ１８を使用位置Ｐ１に回動させて、ワークトップ１２の左端縁に沿って延長配置する。この状態で、操作ハンドル２２ａにより混合水栓２２を開放すると、洗浄水が放水パイプ１８の放水孔２０から放出され、ワークトップ１２の上面に沿って右側に流れてシンク１３内に流れ落ちる。これにより、ワークトップ１２の上面を水，湯またはぬるま湯で容易に洗浄することができる。
【００１９】
この場合、図３に示すように、操作つまみ１９ａにより放水パイプ１８を軸線の回りで回動させると、複数の放水孔２０の開口方向が変更される。これにより、放水孔２０から放出される洗浄水の飛翔距離が変更されて、ワークトップ１２上の所望位置に洗浄水を放出することができる。
【００２０】
従って、この実施形態によれば、以下のような効果を得ることができる。
（Ａ）  この流し台用給水栓及び流し台においては、ワークトップ１２の上面に沿って放水パイプ１８が配設され、その放水パイプ１８にはワークトップ１２の上面に向かって洗浄水を放出するための複数の放水孔２０が形成されている。このため、放水パイプ１８の放水孔２０から放出される洗浄水により、ワークトップ１２の上面を手間がかかることなく容易に清掃することができ、ワークトップ１２の上面を清潔な状態に維持できる。
【００２１】
（Ｂ）  この流し台用給水栓及び流し台においては、前記放水パイプ１８がシンク１３と反対側においてワークトップ１２の端縁に配設されている。そして、放水孔２０からワークトップ１２の上面に放出される洗浄水がワークトップ１２の周壁として機能する突条１２ａとワークトップ１２の上面の緩やかな傾斜とによりシンク１３内に流れ落ちるようになっている。このため、放水孔２０から放出される洗浄水がワークトップ１２の上面に溜まったり、ワークトップ１２の上面前縁から滴り落ちたりするおそれを防止することができる。
【００２２】
（Ｃ）  この流し台用給水栓及び流し台においては、前記放水パイプ１８が使用位置Ｐ１と不使用位置Ｐ２とに変移可能に構成されている。このため、ワークトップ１２上で調理の下ごしらえ等の作業を行う場合には、放水パイプ１８を不使用位置Ｐ２に変移させることができる。よって、放水パイプ１８が邪魔になることなく、ワークトップ１２の上面全体を使用して、調理の下ごしらえ等を普通に行うことができる。
【００２３】
（Ｄ）  この流し台用給水栓及び流し台においては、前記放水パイプ１８を軸線の回りで回動させることにより、複数の放水孔２０から放出される洗浄水の飛翔距離が変更されるようになっている。このため、ワークトップ１２の上面等の汚れ具合等に応じて、放水孔２０から放出される洗浄水の供給位置を任意に変更して、ワークトップ１２の上面を一層容易に洗浄することができる。
【００２４】
（第２実施形態）
次に、この発明の第２実施形態を、前記第１実施形態と異なる部分を中心に説明する。
【００２５】
さて、この第２実施形態においては、図４に示すように、取付パイプ１４の下端に供給管２１が接続されている。また、支持パイプ１７内にはプッシュ式水栓２５が収容配置され、その上部にはプッシュボタン２５ａが設けられている。このプッシュ式水栓２５は、フラッシュバルブ機能を有している。従って、このプッシュボタン２５ａを押圧操作することにより、プッシュ式水栓２５が開放されて、一定量の水，湯あるいは混合水よりなる洗浄水が放水パイプ１８の放水孔２０から放出されるようになっている。なお、この第２実施形態においては、混合水栓は、湯水の混合及びその混合割合の調節機能のみを有すればよい。
【００２６】
従って、この第２実施形態においても、前記第１実施形態における（Ａ）〜（Ｄ）に記載の効果と同様の効果を得ることができる。
（第３実施形態）
次に、この発明の第３実施形態を、前記第１実施形態と異なる部分を中心に説明する。
【００２７】
さて、この第３実施形態においては、図５に示すように、取付パイプ１４の下端に供給管２１が接続されている。また、支持パイプ１７内には止水栓２６が収容配置され、その上部には止水ハンドル２６ａが設けられている。そして、この止水ハンドル２６ａを回動操作することにより、止水栓２６が開放されて、止水ハンドル２６ａの回動量に応じた流量の洗浄水が放水パイプ１８の放水孔２０から放出されるようになっている。
【００２８】
従って、この第３実施形態においても、前記第１実施形態における（Ａ）〜（Ｄ）に記載の効果と同様の効果を得ることができる。
（第４実施形態）
次に、この発明の第４実施形態を、前記第１実施形態と異なる部分を中心に説明する。
【００２９】
この第４実施形態においては、図６及び図７（ａ）（ｂ）に示すように、前記第１実施形態の構成において、支持パイプ１７及び放水パイプ１８の部分を一体的に覆うとともに、下面を開放したカバー３０が設けられている。このカバー３０は、支持パイプ１７及び放水パイプ１８とともに、支持パイプ１７の軸線を中心に一体に水平回動する。カバー３０には、操作つまみ１９ａを突出させるための開口３１と、放水に支障がないようにするために、支持パイプ１７の前面を開放する開口３２とを有する。
【００３０】
従って、この第４実施形態においては、カバー３０が設けられているため、美観が向上する。
（変更例）
なお、この実施形態は、次のように変更して具体化することも可能である。
【００３１】
・  前記第１実施形態において、取付パイプ１４に接続された給水管２３の途中に、フットスイッチの踏み込み操作にて開閉される電磁弁を接続すること。従って、このように構成すれば、開閉操作が容易になる。
【００３２】
・  前記各実施形態において、放水パイプ１８を上下方向に回動できるように構成して、放水パイプ１８をワークトップ１２の後端から前方に延びる使用位置Ｐ１と、ワークトップ１２の後端から上方に延びる不使用位置Ｐ２とに回動変移させるようにすること。
【００３３】
・  図８に示すように、ワークトップ１２の上面の左端縁に凹部２７を前後方向に延長形成し、その凹部２７内に放水孔２０を備えた放水パイプ１８を嵌合固定すること。
【００３４】
・  図９に示すように、ワークトップ１２の上面の左端縁の位置を上方に膨出して、その膨出により突部２８を前後方向に延長形成するとともに、その突部２８の下面に封止板２９を固定することによって、放水パイプ１８を構成し、突部２８の側面に複数の放水孔２０を形成すること。
【００３５】
・  放水パイプ１８の放水孔２０を放水パイプ１８の軸線方向に延びるスリットにより構成すること。この場合、スリットは、放水パイプ１８のほぼ全長にわたる長いものを１条設けても、あるいは短いものを放水パイプ１８の長さ方向に沿って複数条並べてもよい。
【００３６】
・  放水パイプ１８の放水孔２０の配列ピッチを適宜に変更すること。例えば、配列ピッチが放水パイプ１８の中央部の一部において密になるように構成したり、先端部の一部において密になるように構成したり、基端部の一部において密になるように構成したりすること。あるいは、先端側ほど密になるように構成したり、基端側ほど密になるように構成したりすること。
【００３７】
・  放水パイプ１８の放水孔２０の径を適宜に変更すること。例えば、放水孔２０の径が放水パイプ１８の中央部の一部において大きくなるように構成したり、先端部の一部において大きくなるように構成したり、基端部の一部において大きくなるように構成したりすること。あるいは、先端側ほど大きくなるように構成したり、基端側ほど大きくなるように構成したりすること。
【００３８】
・  放水パイプ１８を先端側ほど太くなるように、逆に基端側ほど太くなるように構成すること。
（別の技術的思想）
さらに、上記実施形態により把握される請求項以外の技術的思想について、以下にそれらの効果とともに記載する。
【００３９】
（１）  前記放水パイプを使用位置と不使用位置とに変移可能にした請求項２または請求項３に記載の流し台。
この構成によれば、放水パイプを不使用位置に変移させた状態で、放水パイプが邪魔になることなく、ワークトップの上面全体を使用して、調理の下ごしらえ等の作業を容易に行うことができる。
【００４０】
（２）  前記複数の放水孔から放出される洗浄水の飛翔距離を変更できるように構成にした請求項２、請求項３、前記（１）項のうちのいずれか一項に記載の流し台。
【００４１】
この構成によれば、放水孔から放出される洗浄水の飛翔距離を任意に変更して、ワークトップの上面を汚れ具合等に応じて容易に清掃することができる。
【００４２】
【発明の効果】
以上、実施形態で例示したように、この発明においては、流し台のワークトップの上面を手間がかかることなく容易に清掃することができる。
【図面の簡単な説明】
【図１】第１実施形態の給水栓を備えた流し台を示す要部斜視図。
【図２】図１の給水栓を拡大して示す要部断面図。
【図３】図２の３−３線における部分断面図。
【図４】第２実施形態の給水栓を示す要部断面図。
【図５】第３実施形態の給水栓を示す要部断面図。
【図６】第４実施形態の給水栓を示す要部断面図。
【図７】（ａ）は図６の７−７線における断面図、（ｂ）は図６の８−８線における断面図。
【図８】給水栓の変更例を示す部分断面図。
【図９】給水栓の別の変更例を示す部分断面図。
【符号の説明】
１１…流し台、１２…ワークトップ、１３…シンク、１４…取付パイプ、１７…支持パイプ、１８…放水パイプ、２０…放水孔、Ｐ１…使用位置、Ｐ２…不使用位置。
【図１】
2004218368.tif 000003
【図２】
2004218368.tif 000004
【図３】
2004218368.tif 000005
【図４】
2004218368.tif 000006
【図５】
2004218368.tif 000007
【図６】
2004218368.tif 000008
【図７】
2004218368.tif 000009
【図８】
2004218368.tif 000010
【図９】
2004218368.tif 000011